(57)【特許請求の範囲】
【請求項１】
裏ケース内側の左右両端略中央部各々に、表ケースの底部左右両端部２２（２１）を各々係止する一対の前方向に突出した突出部３１（３）と、この突出部３１（３）と前記表ケースがすべらないようにこの突出部の上側に付けた滑り止め部材５１（５）とを設け、裏ケース内側の左端略中央部であって前記突出部３１の位置より上方に、前記表ケースの左内側面下端部２４が右方向に移動するのを当たって阻止する、前方向に突出した第1の位置規制ボス６１と、裏ケース内側の右端略中央部であって前記突出部３の位置より上方に、表ケースの右内側面下端部２３が左方向に移動するのを当たって阻止する、前方向に突出した第２の位置規制ボス６とを前記表ケースの左内側面下端部２４と右内側面下端部２３との間隔より短い間隔で設けるとともに、裏ケースに対し裏ケースに設けられた上記突出部３１（３）が位置する高さより下方の部分に、壁内部からの接続線を引き込む配線用孔と上記接続線を接続する接続線端子とを設けて、表ケースの内側略中央部と、裏ケース内側の略中央上端とを紐７で連結し、表ケースと裏ケースを固定してない状態で、表ケースの底部左右両端部２２（２１）を裏ケースの滑り止め部材５１（５）を介した突出部３１（３）で係止させた場合に、表ケースの内側略中央部は裏ケース内側の略中央上端と引き合う前記紐７で係止され、表ケース上端が前方に傾いた状態で係止され、表ケースの横方向の移動は、裏ケース内側に設けられた上記第1の位置規制ボス６１が表ケースの左内側面下端部２４に当たるか、または上記第２の位置規制ボス６が表ケースの右内側面下端部２３に当たることで規制されることを特徴とする壁掛け機器の表ケースの一時係止構造。
【発明の詳細な説明】
【０００１】
【産業上の利用分野】
本発明は、壁掛け機器を設置又は保守等を行う時に、機器の内部で手作業し易いようにした壁掛け機器の表ケースの一時係止構造に関する。
【０００２】
【従来の技術】
従来は、壁掛け電話機等（以下壁掛け機器という）を取り付ける際、この壁掛け機器内部に配線工事等を行うため壁掛け機器を裏ケースから表ケースを分離させる必要がある。従来の分離方法は裏ケース、表ケースの端部を紐でつないであるだけであり、工事中表ケースは紐により裏ケースにぶら下がっている状態となる。このようにぶら下げていると裏ケースに傷がつき易いし、線材の芯数が１０〜２０芯程度のセットであればこの方法でも可能であるが５０〜６０芯のセットの場合であると対応しきれない。
このように表カバーと裏カバーの配線をしたまま取付けを行うのは、コネクタ誤接続を防いだり、保守のときは、動作させながらチェックが行えるためであり、しいては時間短縮となるからである。
【０００３】
【発明が解決しようとする課題】
従来の紐つり下げ方式では、表ケースと裏ケースを接続する線材の長さを長くする必要があり線材の収納スペースを広くとらなければならず、線材のフォーミングにおいても不利であった。
また表カバーが紐によりぶら下がった状態では取付工事などの作業性が悪い。
さらに線材に余分な負荷がかかり易く出荷時点での信頼性が損なわれる危険性がある。
本発明の目的は、上記欠点を解消するとともに、工事を行い易くする壁掛け機器表ケースの裏ケースへの一時係止構造を提供することにある。
【０００４】
【課題を解決するための手段】
この目的を達成するため本発明の構成を以下のようにした。
裏ケース内側の左右両端略中央部各々に、表ケースの底部左右両端部２２（２１）を各々係止する一対の前方向に突出した突出部３１（３）と、この突出部３１（３）と前記表ケースがすべらないようにこの突出部の上側に付けた滑り止め部材５１（５）とを設け、裏ケース内側の左端略中央部であって前記突出部３１の位置より上方に、前記表ケースの左内側面下端部２４が右方向に移動するのを当たって阻止する、前方向に突出した第1の位置規制ボス６１と、裏ケース内側の右端略中央部であって前記突出部３の位置より上方に、表ケースの右内側面下端部２３が左方向に移動するのを当たって阻止する、前方向に突出した第２の位置規制ボス６とを前記表ケースの左内側面下端部２４と右内側面下端部２３との間隔より短い間隔で設けるとともに、裏ケースに対し裏ケースに設けられた上記突出部３１（３）が位置する高さより下方の部分に、壁内部からの接続線を引き込む配線用孔と上記接続線を接続する接続線端子とを設けて、表ケースの内側略中央部と、裏ケース内側の略中央上端とを紐７で連結し、表ケースと裏ケースを固定してない状態で、表ケースの底部左右両端部２２（２１）を裏ケースの滑り止め部材５１（５）を介した突出部３１（３）で係止させた場合に、表ケースの内側略中央部は裏ケース内側の略中央上端と引き合う前記紐７で係止され、表ケース上端が前方に傾いた状態で係止され、表ケースの横方向の移動は、裏ケース内側に設けられた上記第1の位置規制ボス６１が表ケースの左内側面下端部２４に当たるか、または上記第２の位置規制ボス６が表ケースの右内側面下端部２３に当たることで規制される壁掛け機器の表ケースの一時係止構造。
【０００５】
【実施例】
図１は壁掛け機器の裏カバーを内側から見た図、図２は壁掛け機器の表カバーを内部からみた図、図３は裏カバーにおける、表カバーを裏カバーに一時係止する部分の拡大側面図、図４は裏カバーにおける、表カバーを裏カバーに係止する部分の拡大斜視図、図５は表カバーを裏カバーに一時係止した状態を示す側面図、図６は表カバーを裏カバーに係止した状態を示す正面図。
【０００６】
１は裏カバーで請求項１でいう裏ケースである。２は表カバーで請求項１でいう表ケースである。２２（２１）は表カバー２の底部左（右）端部、２４（２３）は表カバー２の左（右）内側面下端部、３１（３）は各種部品が装備された表カバー２の荷重を表カバーの底部左（右）端部２２（２１）に対応して受ける裏カバーの突出部（以下リブという）、４１（４）はこのリブ３１（３）を補強する補強部、５１（５）は表カバーの底部左（右）端部２２（２１）がずれないようにリブ３１（３）に張り付けられた滑り止め材であるスポンジ、６１（６）は表カバーが横にずれるのを防止する位置規制ボスである。７は表カバーと裏カバーに接続してある紐、８は外部から引込み接続する同軸ケーブル、９は外部から引込み接続するリード線、１０は同軸ケーブル８、リード線９等を機器内に引き込むための裏カバーに空けられた配線用孔である。請求項１でいう接続線とは本実施例では同軸ケーブル８、リード線９を指している。
１１は紐７の一端が結ばれておりネジで裏カバーに取り付られているホルダー、２５は紐７の他端が結ばれておりネジで表カバーに取り付けられているホルダー、１２は裏カバーのプリント基板、１３１、１３２、１３３は表カバー内側に取り付けられているプリント基板、１４は同軸ケーブル８を接続する端子、１５はリード線９を接続する端子板である。請求項１でいう接続端子とは本実施例では上記端子１４、上記端子板１５をさす。１６Ａ、１７Ａ、１８Ａは裏カバーのプリント基板１２に付けられるコネクタである。コネクタ１６Ｂは表カバーのプリント基板１３２に、コネクタ１７Ｂ、１８Ｂは表カバーのプリント基板１３３に付けられている。そしてコネクタ１６Ａとコネクタ１６Ｂは多数の線材１６で接続されている。またコネクタ１７Ａとコネクタ１７Ｂは多数の線材１７で、同じくコネクタ１８Ａとコネクタ１８Ｂは多数の線材１８で接続されている。２６は映像画面、２７は表示部、２８はダイヤル部、２９は送受器である。
なお、裏カバーに表カバーを取り付けた状態で表ケースの表面から見た場合として左右を決めている。
【０００７】
先ず壁掛け機器の機能、構成を説明する。壁掛け機器では多数の線材が複数のコネクタ１６Ａ（Ｂ）、１７Ａ（Ｂ）、１８Ａ（Ｂ）を介し表カバーのプリント基板と裏カバーのプリント基板等が電気的に接続されている。また、外部からは電源の供給を受けたり、映像信号、音声信号等の送受をするための同軸ケーブル８や各種リード線９を接続することにより、電話としての機能を発揮させたり、カメラドアホンからの映像、その他テレビの映像を映像画面２６に表示させている。図１に示すホルダー１１は一端が紐７で結ばれており、図５で示すように裏カバーの略中央上端のボス１９にネジ止めされている。一方この紐７の他端にはホルダー２５が結ばれており図２に示すようにホルダー２５は、表カバーにプリント基板１３１を止めているネジで同時に止められている。
【０００８】
次に壁掛け機器の取付け工事を説明する。
先ず図示しない壁埋め込み枠金物を機器の大きさに孔をあけた壁に取り付けた後、壁掛け機器の裏カバーと表カバーのネジ止めを外し壁埋め込み枠金物に挿入する。この状態で表カバーを裏カバーから持ち上げ下に垂らすと紐７で表カバーがぶら下がった状態となる。ここで裏カバーの上端２箇所１９１、１９２を壁埋め込み枠金物にネジ止めし裏カバーを固定する。ここで表カバーを持ち上げ表カバーの左内側面下端部２４が位置規制ボス６１より外側にくるように、底部左端部２２をリブ３１の上に張ったスポンジ５１に載せると同時に、右内側面下端部２３が位置規制ボス６より外側にくるように、底部右端部２１をリブの３上に張ったスポンジ５に載せる。
いま、表カバーが裏カバーに一時係止の状態になっていると、表カバーの底部左右両端部２２（２１）は裏カバーのリブ３１（３）に張ったスポンジ５１（５）の摩擦で動きが制限される。その上端が前方に傾いた表カバーは、ホルダー２５部分に接続された紐７により引っ張られて係止され、表カバーの横方向の移動は、裏ケース内側に設けられた位置規制ボス６１が右に移動しようとする表ケースの左内側面下端部２４に当たるか、または位置規制ボス６が左側に移動しようとする表ケースの右内側面下端部２３に当たることで規制される。
この後裏カバーの下端２箇所１９３、１９４を壁埋め込み枠金物にネジ止めし裏カバーを完全に固定する。
【０００９】
次に壁の中に配線されている電話回線、インターホン等からの複数のリード線９を端子板１５に接続する。次に映像信号を伝達する同軸ケーブル８を端子１４に取り付ける。必要ならばその他の線の接続も行う。全て配線が終わった時点でこれら機器が正常に動作するか仮検査を行い必要な調整があれば行う。問題なければ表カバーを裏カバーに完全に固定し、必要な設定及び検査を行う。以上のようにして壁掛け機器の設置が完了する。
【００１０】
この壁掛け機器の保守を行う場合でも、表カバーを外し、裏カバーのリブ３１、３に一時係止させておけばよいので保守作業が非常にやり易い。
【００１１】
【発明の効果】
本発明の構造を採用した壁掛け機器は、表カバーと裏カバー間に接続されている線材を短くできるので、線材の収納スペースを広くする必要がなく又線材のフォーミングもやり易い。また、裏カバーに設けた突出部（リブ）に表カバーを一時載せることにより取付け、配線工事が一人で容易に行える。更に取付け工事時に表カバーと裏カバー間を配線してあるコネクタ等を外す必要がなく配線間違いがなく時間短縮にもなり、さらに線材に余分な負荷が掛からないため、出荷時点での製品の信頼性がそのまま維持できる。
【図面の簡単な説明】
【図１】壁掛け機器の裏カバーを内部からみた図
【図２】壁掛け機器の表カバーを内部からみた図
【図３】裏カバーにおける、表カバーを裏カバーに係止する部分の拡大側面図
【図４】裏カバーにおける、表カバーを裏カバーに係止する部分の拡大斜視図
【図５】表カバーを裏カバーに係止した状態を示す側面図
【図６】表カバーを裏カバーに係止した状態を示す正面図
【符号の説明】
１   裏カバー
１１ ホルダー
１４ 端子
１５ 端子板
２   表カバー
２１ 底部右端部
２２ 底部左端部
２３ 右内側面下端部
２４ 左内側面下端部
２５ ホルダー
３   リブ
３１ リブ
５   スポンジ
５１ スポンジ
６   位置規制ボス
６１ 位置規制ボス
７   紐
８   同軸ケーブル
９   リード線
以上
【図１】
0003559940.tif 000002
【図２】
0003559940.tif 000003
【図３】
0003559940.tif 000004
【図４】
0003559940.tif 000005
【図５】
0003559940.tif 000006
【図６】
0003559940.tif 000007